(57)【要約】【課題】オペレータが貨幣を誤りなく適切に貨幣管理装置の各収納庫に収納または取り出すことを可能にし、束紙幣または包装硬貨の厳正管理を可能にした貨幣管理装置および貨幣管理システムを提供する。【解決手段】貨幣管理装置は、分類された貨幣を収納する複数の収納庫と、収納庫に貨幣を入金または出金するときに貨幣の情報を入力する入力部と、入力部において入力された情報に従って複数の収納庫を制御する制御部とを備え、制御部は、収納庫に入金する貨幣または収納庫から出金する貨幣に基づいて該貨幣に対応する収納庫を特定し、該収納庫へ貨幣を収納しあるいは該収納庫から貨幣を取り出すことを許可する。【選択図】図８
2012137981.tif 000002
【特許請求の範囲】
【請求項１】
分類された貨幣を収納する複数の収納庫と、
前記収納庫に貨幣を入金または出金するときに貨幣の情報を入力する入力部と、
前記入力部において入力された情報に従って前記複数の収納庫を制御する制御部とを備え、
前記制御部は、前記収納庫に入金する貨幣または前記収納庫から出金する貨幣に基づいて該貨幣に対応する収納庫を特定し、該収納庫へ貨幣を収納しあるいは該収納庫から貨幣を取り出すことを許可する、ことを特徴とする貨幣管理装置。
【請求項２】
貨幣の正券と損券とが互いに異なる前記収納庫に収納されており、
前記入力部で入力された貨幣の情報が顧客へ出金する貨幣の情報である場合、前記制御部は、正券を収納する前記収納庫を特定し、該収納庫から貨幣を取り出すことを許可する、ことを特徴とする請求項１に記載の貨幣管理装置。
【請求項３】
貨幣の正券と損券とが互いに異なる前記収納庫に収納されており、
前記入力部で入力された貨幣の情報が顧客から入金する貨幣の情報である場合、前記制御部は、損券を収納する前記収納庫を特定し、該収納庫へ貨幣を収納することを許可する、ことを特徴とする請求項１または請求項２に記載の貨幣管理装置。
【請求項４】
貨幣の正券と損券とが互いに異なる前記収納庫に収納されており、
前記入力部で入力された貨幣の情報が顧客から入金する貨幣の情報である場合であっても、前記入力部において入力された使用者のＩＤ情報が特定のＩＤ情報であるときには、前記制御部は、前記使用者による選択に基づいて、正券を収納する前記収納庫または損券を収納する前記収納庫のいずれかを特定し、該収納庫へ貨幣を収納することを許可する、ことを特徴とする請求項１から請求項３のいずれかに記載の貨幣管理装置。
【請求項５】
貨幣の正券と損券とが互いに異なる前記収納庫に収納されており、
前記入力部は、当該貨幣管理装置に通信可能に接続され貨幣の正損を識別する分類機から貨幣の正損の情報を受け取り、
前記制御部は、前記貨幣の正損の情報に従って、正券または損券を収納する前記収納庫を特定し、該収納庫へ貨幣を収納することを許可する、ことを特徴とする請求項１から請求項４のいずれかに記載の貨幣管理装置。
【請求項６】
貨幣は金種ごとに互いに異なる前記収納庫に収納されており、
前記制御部は、前記入力部で入力された貨幣の情報に基づいて該金種に対応する収納庫を特定し、該収納庫へ貨幣を収納しあるいは該収納庫から貨幣を取り出すことを許可する、ことを特徴とする請求項１から請求項５のいずれかに記載の貨幣管理装置。
【請求項７】
貨幣は金種ごとに互いに異なる前記収納庫に収納されており、
前記入力部は、当該貨幣管理装置に通信可能に接続され貨幣の金種を識別する分類機から貨幣の金種の情報を受け取り、
前記制御部は、前記貨幣の金種の情報に従って、該金種に対応する前記収納庫を特定し、該収納庫へ貨幣を収納することを許可する、ことを特徴とする請求項６に記載の貨幣管理装置。
【請求項８】
前記制御部は、実際に収納または取り出された貨幣の金種および数量と前記入力部に入力された前記貨幣の情報とを照合する、ことを特徴とする請求項１から請求項７のいずれかに記載の貨幣管理装置。
【請求項９】
貨幣を分類する分類機と、前記分類機と通信可能に接続され、分類された貨幣を収納する貨幣管理装置とを備えた貨幣管理システムであって、
前記分類機は、分類された貨幣の情報を前記貨幣管理装置へ送信し、
前記貨幣管理装置は、分類された貨幣を収納する複数の収納庫と、前記分類機から前記貨幣の情報を受け取る入力部と、前記入力部において入力された情報に従って前記複数の収納庫を制御する制御部とを備え、前記制御部は、前記分類機からの貨幣の情報に基づいて該貨幣に対応する収納庫を特定し、該収納庫へ貨幣を収納することを許可する、ことを特徴とする貨幣管理システム。
【請求項１０】
前記分類機は、分類した貨幣の情報を前記貨幣管理装置へ送信する連携モードと、分類した貨幣の情報を前記貨幣管理装置へ送信しないローカルモードとを有することを特徴とする請求項９に記載の貨幣管理システム。
【請求項１１】
前記分類機は、前記貨幣管理装置の在高を管理し、前記貨幣管理装置の前記複数の収納庫のいずれかにおいて貨幣量が上限を超え、あるいは、下限を下回ったときに使用者に通知することを特徴とする請求項９または請求項１０に記載の貨幣管理システム。
【請求項１２】
前記分類機は、硬貨を分類しかつ分類された硬貨を包装し、
前記貨幣管理装置は、前記分類機からの硬貨の情報に基づいて該硬貨に対応する収納庫を特定し、該収納庫へ硬貨を収納することを許可する、ことを特徴とする請求項９から請求項１１のいずれかに記載の貨幣管システム。
【発明の詳細な説明】
【技術分野】
【０００１】
本発明は、貨幣管理装置および貨幣管理システムに関する。
【背景技術】
【０００２】
従来から貨幣管理装置は、貨幣を分類して収納する複数の収納庫が設けられている。例えば、貨幣管理装置は、貨幣を金種ごとに分類し、あるいは、正損に分類して収納している。
【０００３】
また、帯封整理機は、投入された貨幣を分類し、分類された紙幣を結束し、あるいは、分類された硬貨を包装する。帯封された紙幣（以下、束紙幣ともいう）または包装硬貨は、帯封整理機から投出され、オペレータによって貨幣管理装置に収納される。このとき、オペレータは、束紙幣または包装貨幣を貨幣管理装置の対応する収納庫へ適切に収納する必要がある。
【特許文献１】特開２００９−２９４７１１号公報
【発明の開示】
【発明が解決しようとする課題】
【０００４】
しかしながら、オペレータは、収納すべき収納庫と異なる収納庫へ貨幣を収納してしまう場合がある。例えば、オペレータは、千円の束紙幣を、誤って１万円の収納庫へ収納してしまう場合がある。この場合、従来の貨幣管理装置は、帯封整理機と連携していなかったため、エラーを検知することができなかった。従って、貨幣管理装置において、厳正な貨幣管理ができていなかった。
【０００５】
また、オペレータが貨幣管理装置から貨幣を取り出して顧客へ出金を行う際に、損券を渡してしまう場合もある。例えば、オペレータが正券の収納庫に損券を収納してしまった場合、出金時に、オペレータは、正券の収納庫から損券を取り出して顧客へ渡してしまう可能性がある。
【０００６】
本発明は、斯かる課題を解決するためになされたものであり、オペレータが貨幣を誤りなく適切に貨幣管理装置の各収納庫に収納または取り出すことを可能にし、束紙幣または包装硬貨の厳正管理を可能にした貨幣管理装置および貨幣管理システムを提供することを目的とする。
【課題を解決するための手段】
【０００７】
本発明に係る実施形態に従った貨幣管理装置は、分類された貨幣を収納する複数の収納庫と、前記収納庫に貨幣を入金または出金するときに貨幣の情報を入力する入力部と、前記入力部において入力された情報に従って前記複数の収納庫を制御する制御部とを備え、前記制御部は、前記収納庫に入金する貨幣または前記収納庫から出金する貨幣に基づいて該貨幣に対応する収納庫を特定し、該収納庫へ貨幣を収納しあるいは該収納庫から貨幣を取り出すことを許可する、ことを特徴とする。
【０００８】
貨幣の正券と損券とが互いに異なる前記収納庫に収納されており、前記入力部で入力された貨幣の情報が顧客へ出金する貨幣の情報である場合、前記制御部は、正券を収納する前記収納庫を特定し、該収納庫から貨幣を取り出すことを許可してもよい。
【０００９】
貨幣の正券と損券とが互いに異なる前記収納庫に収納されており、前記入力部で入力された貨幣の情報が顧客から入金する貨幣の情報である場合、前記制御部は、損券を収納する前記収納庫を特定し、該収納庫へ貨幣を収納することを許可してもよい。
【００１０】
貨幣の正券と損券とが互いに異なる前記収納庫に収納されており、前記入力部で入力された貨幣の情報が顧客から入金する貨幣の情報である場合であっても、前記入力部において入力された使用者のＩＤ情報が特定のＩＤ情報であるときには、前記制御部は、前記使用者による選択に基づいて、正券を収納する前記収納庫または損券を収納する前記収納庫のいずれかを特定し、該収納庫へ貨幣を収納することを許可してもよい。
【００１１】
貨幣の正券と損券とが互いに異なる前記収納庫に収納されており、前記入力部は、当該貨幣管理装置に通信可能に接続され貨幣の正損を識別する分類機から貨幣の正損の情報を受け取り、前記制御部は、前記貨幣の正損の情報に従って、正券または損券を収納する前記収納庫を特定し、該収納庫へ貨幣を収納することを許可してもよい。
【００１２】
貨幣は金種ごとに互いに異なる前記収納庫に収納されており、前記制御部は、前記入力部で入力された貨幣の情報に基づいて該金種に対応する収納庫を特定し、該収納庫へ貨幣を収納しあるいは該収納庫から貨幣を取り出すことを許可してもよい。
【００１３】
貨幣は金種ごとに互いに異なる前記収納庫に収納されており、前記入力部は、当該貨幣管理装置に通信可能に接続され貨幣の金種を識別する分類機から貨幣の金種の情報を受け取り、前記制御部は、前記貨幣の金種の情報に従って、該金種に対応する前記収納庫を特定し、該収納庫へ貨幣を収納することを許可してもよい。
【００１４】
前記制御部は、実際に収納または取り出された貨幣の金種および数量と前記入力部に入力された前記貨幣の情報とを照合するように構成してもよい。
【００１５】
本発明に係る実施形態に従った貨幣管理システムは、貨幣を分類する分類機と、前記分類機と通信可能に接続され、分類された貨幣を収納する貨幣管理装置とを備えた貨幣管理システムであって、前記分類機は、分類された貨幣の情報を前記貨幣管理装置へ送信し、前記貨幣管理装置は、分類された貨幣を収納する複数の収納庫と、前記分類機から前記貨幣の情報を受け取る入力部と、前記入力部において入力された情報に従って前記複数の収納庫を制御する制御部とを備え、前記制御部は、前記分類機からの貨幣の情報に基づいて該貨幣に対応する収納庫を特定し、該収納庫へ貨幣を収納することを許可する、ことを特徴とする。
【００１６】
前記分類機は、分類した貨幣の情報を前記貨幣管理装置へ送信する連携モードと、分類した貨幣の情報を前記貨幣管理装置へ送信しないローカルモードとを有するように構成されていてもよい。
【００１７】
前記分類機は、前記貨幣管理装置の在高を管理し、前記貨幣管理装置の前記複数の収納庫のいずれかにおいて貨幣量が上限を超え、あるいは、下限を下回ったときに使用者に通知するように構成されていてもよい。
【００１８】
前記分類機は、硬貨を分類しかつ分類された硬貨を包装し、前記貨幣管理装置は、前記分類機からの硬貨の情報に基づいて該硬貨に対応する収納庫を特定し、該収納庫へ硬貨を収納することを許可してもよい。
【発明の効果】
【００１９】
本発明による貨幣管理装置および貨幣管理システムは、オペレータが貨幣を誤りなく適切に貨幣管理装置の各収納庫に収納または取り出すことを可能にし、束紙幣または包装硬貨の厳正管理を可能にする。また、これによって市場への還流貨幣は正券のみとなり、損券を確実に回収することができる。
【図面の簡単な説明】
【００２０】
【図１】本発明に係る第１の実施形態に従った貨幣管理システムの構成を示すブロック図。
【図２】貨幣管理装置２００の外観を示す斜視図。
【図３】貨幣管理装置２００の第１収納ドロア２１１の斜視図。
【図４】貨幣管理装置２００の第３収納ドロア２１３の斜視図。
【図５】貨幣管理装置２００の機能ブロック図。
【図６】第１の実施形態による帯封整理機１０の内部構成を示す断面図。
【図７】操作表示部１１に表示されるモード設定画面の一例を示す図。
【図８】第１の実施形態による貨幣管理システムの入金処理を示すフロー図。
【図９】第１の実施形態による貨幣管理システムの出金処理を示すフロー図。
【図１０】第３の実施形態による貨幣管理システムの動作を示すフロー図。
【図１１】第３の実施形態による貨幣管理システムの動作を示すフロー図。
【図１２】紙幣分類機の実施形態の構成を示す図。
【図１３】紙幣分類機の他の実施形態の構成を示す図。
【発明を実施するための最良の形態】
【００２１】
以下、図面を参照して本発明に係る実施形態を説明する。本実施形態は、本発明を限定するものではない。
【００２２】
（第１の実施形態）
図１は、本発明に係る第１の実施形態に従った貨幣管理システムの構成を示すブロック図である。本実施形態による貨幣管理システムは、銀行のような金融機関等に設置され、貨幣管理装置２００および帯封整理機１０により構成されている。
【００２３】
帯封整理機１０は、貨幣管理装置２００と通信可能に接続されている。入金時には、帯封整理機１０は、投入された貨幣の金種、数量、正損、新旧等を識別し、この識別結果に応じて貨幣を分類する。そして、帯封整理機１０は、分類された貨幣が所定数に達した場合に、その貨幣を結束する。また、所定数に達しない状態で処理が終了した場合は、端数でその貨幣を結束する。このとき、帯封整理機１０は、オペレータ（テラー）が取出し可能なように束紙幣を投出するとともに、その貨幣の金種、数量、正損等を含む処理情報を貨幣管理装置２００へ送信する。尚、貨幣の正損は、新しく造幣された貨幣（正券）と、市場を流通して古くなった貨幣（損券）とを示す。また、貨幣の新旧とは、同じ金種であるがデザインが互いに異なる貨幣である。新券は、新しくデザインされた貨幣であり、旧券は、今まで市場で流通していた古いデザインの貨幣である。
【００２４】
貨幣管理装置２００は、貨幣を分類して収納する複数の収納庫を備えている。例えば、貨幣管理装置２００は、貨幣を金種ごとに異なる収納庫に収納してもよく、正券／損券に分けて異なる収納庫に収納してもよく、さらに、新券／旧券に分けて異なる収納庫に収納してもよい。
【００２５】
オペレータが顧客から貨幣を受け取った場合、貨幣管理装置２００は、帯封整理機１０から処理情報を受け取り、その処理情報に従ってその貨幣に対応する収納庫を特定し、その収納庫へ貨幣を収納可能にする。オペレータは、束紙幣を帯封整理機１０から取り出し、貨幣管理装置２００の収納可能な収納庫に貨幣を収納する。
【００２６】
また、オペレータが顧客へ貨幣を出金する場合、貨幣管理装置２００は、顧客に正券または新券を渡すことができるように、正券または新券を収納する収納庫を特定し、該収納庫から貨幣を取り出すことをオペレータに許可する。オペレータは、取出し可能になった収納庫から束紙幣を取り出し、顧客へ渡す。
【００２７】
このように、本実施形態による貨幣管理システムは、貨幣の処理情報に基づいて、その貨幣に対応する貨幣管理装置２００の収納庫を特定し、その収納庫へ貨幣を収納することを許可し、あるいは、収納庫から貨幣を取り出すことを許可するように構成されている。
【００２８】
尚、貨幣管理装置２００は、帯封整理機１０とＬＡＮ（Local Area Network）で接続されていてもよい。また、オペレータがＵＳＢメモリを用いて貨幣管理装置２００と帯封整理機１０との間の情報を出し入れしてもよい。即ち、貨幣管理装置２００は、帯封整理機１０と通信可能に直接接続されていてもよく、ＵＳＢメモリ等を介して間接的に帯封整理機１０と接続されていてもよい。勿論、貨幣管理装置２００と帯封整理機１０とを分離し、オペレータが帯封整理機１０において分類された貨幣の情報を貨幣管理装置２００に直接入力してもよい。
【００２９】
［貨幣管理装置２００の構成］
図２は、貨幣管理装置２００の外観を示す斜視図である。貨幣管理装置２００は、正券紙幣（千円紙幣、２千円紙幣、５千円紙幣、１万円紙幣）を収納保管する第１収納ドロア２１１と、損券紙幣を収納保管する第２収納ドロア２１２と、正棒金（５００円硬貨、１００円硬貨、５０円硬貨）を収納保管する第３収納ドロア２１３と、正棒金（１０円硬貨、５円硬貨、１円硬貨）を収納保管する第４収納ドロア２１４と、現金以外の有価証券類を投入することができる予備ドロア２１５と、を備えている。
【００３０】
第２収納ドロア２１２は、損券を金種ごとに分類して収納してもよく、あるいは、損券を金種混合で収納してもよい。また、正券紙幣は、全金種について第１収納ドロア２１１に収納されている。しかし、正券紙幣は、金種ごとにそれぞれ異なる収納庫に収納されていてもよい。正棒金についても、金種ごとにそれぞれ異なる収納庫に収納されていてもよい。
【００３１】
貨幣管理装置２００は、貨幣管理装置２００の全体を制御する制御装置２２５と、制御装置２２５に各種の指示を与えるキーボード式操作部（入力部）２２６と、オペレータとのインタフェースとしての表示部２２７と、収納庫に貨幣を入出金する操作を行うオペレータが所持するＩＤカードの内容を読み取るＩＤカードリーダ２２８とをさらに備えている。
【００３２】
本実施形態では、接触式のＩＤカードリーダ２２８が採用されているが、非接触式のカードリーダが採用されてもよい。また、ＩＤカードリーダの他に、顔認証や静脈認証等を利用するための機器が採用されてもよい。
【００３３】
図３は、貨幣管理装置２００の第１収納ドロア２１１の斜視図である。第１収納ドロア２１１には、正券の束が、規則正しく収納保管される。第１収納ドロア２１１の内部に、４つの紙幣保管容器２２１〜２２４が配置されている。また、１束１００枚の束紙幣を１０束ごとに束ねた大束紙幣が収納保管されるように構成されていてもよい。第２収納ドロア２１２も第１収納ドロア２１１と同様の構成を有していてよい。この場合、第２収納ドロア２１２は、各金種の損券を金種ごとに収納してもよく、損券を金種混合した状態で収納してもよい。また、第２収納ドロア２１２は、損券を束の状態で収納してもよく、バラの状態で収納してもよい。
【００３４】
図４は、貨幣管理装置２００の第３収納ドロア２１３の斜視図である。第３収納ドロア２１３は、包装硬貨を規則正しく収納する。勿論、第３収納ドロア２１３は、硬貨の金種ごとに個別の保管容器２４１〜２４３を備えていてもよい。さらに、貨幣管理装置２００は、混合貨幣を収納するドロア（図示せず）を備えていてもよい。
【００３５】
第４収納ドロア２１４の構成は、第３収納ドロア２１３の構成と同様でよい。
【００３６】
ドロア２１１〜２１４の底面には、収納されている貨幣の重量を測定するための測定手段として、ロードセル２６１（図５参照）が設けられている。ロードセル２６１の構成の詳細については周知であるので、ここではその説明を省略する。このような構成によって、各ドロア２１１〜２１４ごとに、収納されている貨幣の重量が測定され得る。
【００３７】
図５は、貨幣管理装置２００の機能ブロック図である。貨幣管理装置２００は、制御部２２４と、記憶部２２５と、ＩＤカードリーダ２２８と、表示部２２７と、操作部２２６と、鍵検知部２９０と、報知装置２８０と、ロードセル２６１と、開閉電磁ロック２１１ｍ〜２１５ｍと、開閉検知装置２１１ｎ〜２１５ｎと、インタフェース２２９とを備えている。
【００３８】
操作部２２６は、オペレータがデータを入力するために設けられており、例えば、キーボードである。表示部２２７は、入力情報および操作情報を表示するように構成されたディスプレイである。記憶部２２５は、各種プログラム及びデータを格納するＲＯＭ（Read Only Memory）またはＨＤＤ(Hard Disk Drive)、および、プログラムのロード領域やプログラム実行時における作業領域となるＲＡＭ(Random Access Memory)等を含む。制御部２２４は、記憶部２２５内のプログラムを実行して貨幣管理装置２００の全体を制御する。インタフェース（入力部）２２９は、帯封整理機１０と通信可能に接続されている。
【００３９】
制御部２２４は、各ドロア２１１〜２１４ごとに対応して設けられたロードセル２６１（重量測定手段）に接続されており、ロードセル２６１の出力値に基づいて、各ドロア２１１〜２１４に収納された貨幣の数量を算出できるように構成されている。そして、記憶部２２５が、制御部２２４によって算出された各ドロア２１１〜２１４内の貨幣の数量を記憶するように構成されている。
【００４０】
開閉電磁ロック２１１ｍ〜２１５ｍは、各ドロア２１１〜２１５にそれぞれ設けられており、貨幣の入出金を許可する開状態と貨幣の入出金を禁止するロック状態との間で各ドロア２１１〜２１５を切替えるように構成されている。
【００４１】
報知装置２８０は、各ドロア２１１〜２１５が所定時間以上継続して開状態である場合に報知信号を出力する。
【００４２】
[帯封整理機１０の構成]
図６は、第１の実施形態による帯封整理機１０の内部構成を示す断面図である。分類機としての帯封整理機１０は、操作表示部１１と、分類集積部１００と、紙幣結束部２５０と、搬送部３００とを備えている。
【００４３】
操作表示部１１は、テラーとのインタフェースとして機能し、かつ、テラーが貨幣の処理情報等を入力する入力部としての機能を有する。例えば、操作表示部１１は、タッチパネル式ディスプレイでよい。
【００４４】
分類集積部１００は、紙幣を受け入れる入金口１０１が設けられ、入金口１０１に投入された金種の混合された紙幣は繰り出しローラ１０２、１０３により繰り出され、搬送路１０４に沿って搬送される。
【００４５】
搬送路１０４の途中には識別部１０５が設けられ、識別部１０５が金種、正損、新旧、真偽、表裏等を識別する。
【００４６】
搬送路１０４は識別部１０５の先で分岐されており、識別部１０５による識別の結果に応じて、損券、偽券等はリジェクト紙幣としてリジェクト紙幣集積部１０６に集積される。一方、表裏反転部１０７は、正券かつ真券の紙幣のすべての表裏面を一致させ、さらに金種に基づいてその紙幣を集積部１１１〜１１５のいずれかに集積する。
【００４７】
各集積部１１１〜１１５はそれぞれ集積用のステージ１１１ａ〜１１５ａを有しており、ステージ１１１ａ〜１１５ａが紙幣を昇降させることができる。
【００４８】
図６においては、各集積部１１１〜１１５は集積可能な状態として図示されている。すなわち、壁部材１１１ｂ〜１１５ｂの下端位置にステージ１１１ａ〜１１５ａが位置しているため、搬送された紙幣は壁部材１１１ｂ〜１１５ｂに当たって停止し、集積される。この際、紙幣の飛び出しを防止し、安定な集積を可能とするために、回動可能な押さえ板１１１ｃ〜１１５ｃが設けられている。
【００４９】
一方、結束対象外の紙幣はさらに搬送され、外部集積部１２１および１２２に集積される。集積部１１１〜１１５および外部集積部１２１および１２２に対して集積すべき対象を種々設定することができ、様々な処理が可能であり、例えば、金種、正損、新旧、真偽等の条件の組み合わせで設定することができる。
【００５０】
表示操作部１１の下には結束対象となったものの、結束可能枚数に達しなかった端数紙
幣を返却するための端数紙幣返却部１３０が設けられている。
【００５１】
（紙幣結束部２５０）
分類集積部１００の下に設けられた紙幣結束部２５０は、所定枚数（通常１００枚）に達した分類・集積された紙幣に帯封を行う。
【００５２】
集積部１１１〜１１５において集積枚数が所定枚数に達した場合、それらの紙幣は、搬送部３００によりセット部２０１に移送され、挟持される。回転機構２０２が、挟持された紙幣の所定箇所に帯封テープを巻回させる。回転機構２０２は、帯封テープ２０４を帯封テープ集積部２０３より取り出し、帯封テープ２０４の先端をテープ止め２０５で止めた後、紙幣の周囲を回転する。これにより、束紙幣が得られる。また、結束後、カッタ２０６がテープの先端を切断し、ヒータ２０７がその先端部を熱接着する。
【００５３】
結束された束紙幣はベルト式の搬送機構２０８によって結束紙幣投出口２０９に投出される。このとき、印字部２１０は、金種、日時、連続番号等を帯封の上に印字する。押印部２５１は、金融機関印を帯封の上に押印する。
【００５４】
次に、搬送部３００が、集積部１１１〜１１５と紙幣結束部２５０または端数紙幣返却部１３０との間で結束対象紙幣または端数紙幣を搬送する。
【００５５】
（搬送部３００）
搬送部３００は、装置の下端から上端に到る垂直に設置されたガイド軸３０１と、ガイド軸３０１に係合しつつ上下移動の可能な昇降ユニット３１０と、昇降ユニット３１０を昇降させるための駆動ベルト３０２を備える。
【００５６】
昇降ユニット３１０はベルト機構３１１によって前進後退可能なブロック３１２を有している。ブロック３１２は、固定の下ハンド３１３と、ベルト３１６により軸３１５に沿って上下移動する上ハンド３１４を有している。ハンド３１３および３１４は、集積部１１１〜１１５に集積された結束対象紙幣あるいは端数紙幣を挟んで取り出し、紙幣結束部２５０あるいは端数紙幣返却部１３０に移送するように構成されている。
【００５７】
（制御部４００）
制御部４００は、帯封整理機１０の動作を制御する。制御部４００は、マイクロプロセッサおよび貨幣管理装置２００と通信回線で接続された通信手段と、記憶部とを含む。通信手段は、例えば、各テラーが操作するターミナルや金融機関の上位コンピュータ（ホスト）等と通信可能に接続されていてもよい。
【００５８】
このような構成により、帯封整理機１０は、帯封を行う紙幣の集積を行う集積部１１１〜１１５と、帯封を行わない紙幣の集積を行う外部集積部１２１、１２２とを、投入される貨幣の金種、正損、新旧、真偽等の区別について種々に指定することができる。
【００５９】
図７は、操作表示部１１に表示されるモード設定画面の一例を示す図である。左上にある設定ボタンを押したときに、図７に示す画面が操作表示部１１に表示される。操作表示部１１は上述の通りタッチパネル式であるので、オベレータは、画面上の該当箇所に触れることにより、各種の操作を行うことができる。
【００６０】
画面中、左端の一列、右端の２列に設けられた種々の設定ボタンを押すことにより、集積部１１１〜１１５および外部集積部１２１、１２２に集積すべき紙幣の金種、券種、刷種を指定することができる。
【００６１】
左から２番目の欄は各集積部１１１〜１１５の設定内容および扱った金額を表している。より詳細には、最上段の２行は外部集積部１２１および１２２に対する設定内容、次の４行は集積部１１１〜１１４における設定内容を示している。なお、集積部１１５は集積部１１１〜１１４のいずれかが満杯になったときに、予備的に用いられる。
【００６２】
図７に示す例では２つの外部集積部１２１、１２２とも混合紙幣を収納し、４つの集積部１１１〜１１４はそれぞれ５千円札の正券を新旧混合、５千円札の損券を新旧混合、２ 千円札の正券を新旧混合、２千円札の損券を新旧混合という設定となっている。尚、集積部１１１〜１１５、外部集積部１２１、１２２の各設定は、任意に変更することができる。また、集積部の数も増減してよい。これにより、帯封整理機１０は、貨幣を金種ごとに分類し、正券／損券に分類し、かつ、新券／旧券に分類することができる。
【００６３】
設定表示の下の部分には実際に取り込まれた各紙幣の金額および総合計が示されている。
【００６４】
［貨幣管理システムの入金処理］
図８は、第１の実施形態による貨幣管理システムの入金処理を示すフロー図である。オペレータが顧客から紙幣を受け取ると、オペレータは、まず、その紙幣を帯封整理機１０の入金口１０１に投入する（Ｓ１０）。帯封整理機１０は、投入された紙幣を１枚ずつ搬送路１０４に繰り出し、識別部１０５がその紙幣の金種、正損、新旧等を識別する（Ｓ２０）。識別部１０５において識別された紙幣は、識別結果に基づいて分類され、集積部１１１〜１１５、１２１、１２２にそれぞれ集積される（Ｓ３０）。
【００６５】
集積部１１１〜１１５、１２１、１２２のいずれかに集積された紙幣の数量が所定数（例えば、１００枚）以上になった場合（Ｓ４０のＹＥＳ）、帯封整理機１０は、紙幣を所定数ごとに結束して投出口２０９から束紙幣として投出する（Ｓ５０）。帯封整理機１０は、入金処理であること、並びに、投出した束紙幣の情報（例えば、金種、数量（束数または枚数）、正券／損券、新券／旧券等）を貨幣管理装置２００へ送信する（Ｓ６０）。オペレータは、投出口２０９から投出された束紙幣を取り出し、貨幣管理装置２００へ持って行く。
【００６６】
尚、集積部１１１〜１１５のいずれかに集積された紙幣の数量が所定数未満の場合（Ｓ４０のＮＯ）、紙幣の投入を続行し、あるいは、端数の紙幣を端数紙幣返却口１３０から投出する。
【００６７】
貨幣管理装置２００は、入力部としてのインタフェース２２９において、帯封整理機１０からの束紙幣の情報を受け取る（Ｓ７０）。貨幣管理装置２００の制御部２２４は、束紙幣の情報に従って、その束紙幣に対応するドロア２１１〜２１４を特定し、そのドロアの開閉電磁ロック２１１ｍ〜２１５ｍを解錠する（Ｓ８０）。オペレータは、解錠され束紙幣を収納可能になったドロアに束紙幣を収納する（Ｓ９０）。このとき、他のドロアの開閉電磁ロックは、施錠されたままである。従って、オペレータが誤って間違ったドロアに束紙幣を収納することはない。
【００６８】
例えば、帯封整理機１０から投出された束紙幣が１万円の正券紙幣である場合、制御部２２４は、ドロア２１１の開閉電磁ロック２１１ｍのみを解錠する。このとき、ドロア２１２〜２１４は施錠されたままである。従って、オペレータは、解錠されたドロア２１１のみに束紙幣を収納することができる。これにより、オペレータが正券を損券として誤ってドロア２１２に収納することを防止できる。
【００６９】
束紙幣の収納後、オペレータはドロア２１１を閉じる（Ｓ１００）。開閉検知装置２１１ｎは、ドロア２１１が開状態から閉状態になったことを検知する（Ｓ１１０）。ドロア２１１が閉状態になったことを検知すると、ロードセル２６１がドロア２１１に収納された貨幣の数量（束数または枚数）を算出する（Ｓ１２０）。
【００７０】
貨幣管理装置２００に実際に収納された貨幣の数量と帯封整理機１０から得た束紙幣の情報に含まれている数量とを照合し、これらが一致している場合（Ｓ１３０のＹＥＳ）、貨幣管理装置２００は、貨幣の入金処理を終了する。このとき、貨幣管理装置２００は、帯封整理機１０へ処理完了通知を送信する（Ｓ１３２）。帯封整理機１０は、処理完了通知を受けて入金処理を終了する（Ｓ１３５のＹＥＳ）。
【００７１】
オペレータが貨幣管理装置２００に実際に収納した貨幣の数量と帯封整理機１０から得た束紙幣の情報に含まれている数量とが相違している場合（Ｓ１３０のＮＯ）、貨幣管理装置２００は、表示部２２７にエラーを表示し、帯封整理機１０へエラー通知を送信する（Ｓ１４０）。そして、貨幣管理装置２００は、束紙幣を収納したドロア２１１を再度解錠する（Ｓ８０）。この場合、オペレータは、貨幣管理装置２００へ収納する束紙幣を入れ直し、再度、ドロア２１１を閉じる（Ｓ９０〜Ｓ１２０）。
【００７２】
エラー通知を受け取った帯封整理機１０は、操作表示部１１にエラーを表示する（Ｓ１４２のＹＥＳ、Ｓ１４５）。帯封整理機１０は、処理完了通知およびエラー通知をともに受け取っていない場合（Ｓ１４２のＮＯ）、貨幣管理装置２００からの信号を受け取るまで待機する。
【００７３】
オペレータによる束紙幣の入れ直しによってエラーが解消すると（Ｓ１３０のＹＥＳ）、貨幣管理装置２００は、帯封整理機１０へ処理完了通知を送信し（Ｓ１３２）、帯封整理機１０は、処理完了通知を受けて入金処理を終了する（Ｓ１３５のＹＥＳ）。
【００７４】
尚、顧客から受け取った紙幣は、損券が含まれている可能性を考慮し、全て損券として処理する場合がある。この場合、操作部２２６は、入金元（例えば、顧客、現送等）を選択できるように構成される。貨幣管理装置２００は、「顧客」および「入金」が選択された場合には、損券を収納するドロア２１２のみを自動的に解錠する。
【００７５】
オペレータによっては、紙幣の正損を識別できる場合がある。そのような特定のオペレータのＩＤでログインがあった場合、貨幣管理装置２００は、正券／損券を選択可能にしてもよい。即ち、操作部２２６は、正券／損券を選択できるように表示し、オペレータが正券または損券を選択する。貨幣管理装置２００は、オペレータの選択に従って、正券または損券に対応するドロア２１１または２１２を解錠する。その後の処理は、ステップＳ９０〜Ｓ１４０の動作と同様である。この場合、貨幣管理装置２００は、紙幣の正損以外の情報（金種、数量、新旧等）については、帯封整理機１０から受け取った束紙幣の情報を用いればよい。
【００７６】
オペレータのＩＤ情報は、予め記憶部２２５に格納しておけばよい。ＩＤカードリーダ２２８において読み取られたＩＤ情報は、記憶部２２５内のＩＤ情報と比較され、それにより、貨幣管理装置２００は、使用者が特定のオペレータであるか否かを判断できる。
【００７７】
ここで、貨幣管理装置２００は、帯封整理機１０からの束紙幣の情報を受け取ると、その束紙幣に対応するドロア２１１〜２１４を解錠するようにしたが、情報を受け取っただけでは解錠せず、オペレータからのＩＤ情報を読み取った時点で解錠するようにしても構わない。このようにすることで、オペレータが束紙幣を貨幣管理装置２００に持ち運ぶ間に第三者による貨幣管理装置２００の操作を防止することができる。
【００７８】
また、上述する構成では、帯封整理機１０の処理で集積部１１１〜１１５で端数となった紙幣を端数紙幣返却口１３０から返却するようにしたが、オペレータが帯封整理機１０の扉を開放して集積部１１１〜１１５から直接抜き取るようにしても構わない。更に、処理が終了したときに、集積部１１１〜１１５に紙幣が端数で残った場合、端数で結束するようにしても構わない。
【００７９】
［貨幣管理システムの出金処理］
図９は、第１の実施形態による貨幣管理システムの出金処理を示すフロー図である。オペレータが顧客へ紙幣を出金する場合、オペレータは、まず、出金処理であること、並びに、取り出す紙幣の金種、数量（束数または枚数）、正券／損券、新券／旧券等の情報を貨幣管理装置２００へ入力する（Ｓ２００）。このとき、オペレータは、入力部としての操作部２２６を操作してこれらの紙幣の情報を入力する。
【００８０】
通常、顧客へ出金する場合、オペレータは、正券または新券を出金する。従って、貨幣管理装置２００は、「顧客」および「出金」が選択された場合には、正券または新券に対応するドロアのみを自動的に解錠してもよい。この場合、操作部２２６は、出金／入金の処理および出金先（例えば、顧客、ＡＴＭ、現送、金庫等）を選択できるように構成される。
【００８１】
貨幣管理装置２００からＡＴＭ（Automated Teller Machine）へ紙幣を装填する場合、ＡＴＭは顧客へ紙幣を出金するので、正券または新券をＡＴＭに装填する必要がある。従って、貨幣管理装置２００は、「ＡＴＭ」および「出金（あるいは装填）」が選択された場合にも、正券または新券に対応するドロアのみを自動的に解錠してよい。
【００８２】
正券または損券を貨幣管理装置２００から金庫等へ回収する場合、貨幣管理装置２００は、正券または損券に対応するドロア２１１または２１２を解錠する。この場合、操作部２２６は、出金／入金の処理および正券／損券を選択できるように表示し、オペレータが「出金（あるいは回収）」および「正券」または「損券」を選択する。貨幣管理装置２００は、オペレータの選択に従ってドロア２１１または２１２を自動的に解錠する。
【００８３】
貨幣管理装置２００は、オペレータが入力した紙幣の情報に基づいて、取り出す貨幣に対応するドロア２１１〜２１４のいずれかを特定し、貨幣の取出しをオペレータに許可する。即ち、貨幣管理装置２００は、紙幣の情報に基づいてドロア２１１〜２１４のいずれかを特定し、そのドロアの開閉電磁ロック（２１１ｍ〜２１５ｍのいずれか）を解錠する（Ｓ２１０）。オペレータは、解錠され束紙幣の取出し可能になったドロアから束紙幣を取り出す（Ｓ２２０）。このとき、他のドロアの開閉電磁ロックは、施錠されたままである。従って、オペレータが誤って間違ったドロアから束紙幣を取り出すことはない。
【００８４】
例えば、出金する束紙幣が１万円の正券紙幣である場合、制御部２２４は、ドロア２１１の開閉電磁ロック２１１ｍのみを解錠する。このとき、ドロア２１２〜２１４は施錠されたままである。従って、オペレータは、解錠されたドロア２１１のみから束紙幣を取り出すことができる。これにより、オペレータが損券を顧客へ出金することを防止できる。
【００８５】
束紙幣の取出し後、オペレータはドロア２１１を閉じる（Ｓ２３０）。開閉検知装置２１１ｎは、ドロア２１１が開状態から閉状態になったことを検知する（Ｓ２４０）。ドロア２１１が閉状態になったことを検知すると、ロードセル２６１がドロア２１１から取り出された貨幣の数量（束数または枚数）を算出する（Ｓ２５０）。
【００８６】
貨幣管理装置２００から実際に取り出された貨幣の数量と操作部２２６で入力された紙幣の情報に含まれている数量とを照合し、これらが一致している場合（Ｓ２６０のＹＥＳ）、貨幣管理装置２００は、貨幣の出金処理を終了する。
【００８７】
オペレータが貨幣管理装置２００から実際に取り出した貨幣の数量と操作部２２６で入力された紙幣の情報に含まれている数量とが相違している場合（Ｓ２６０のＮＯ）、貨幣管理装置２００は、表示部２２７にエラーを表示する（Ｓ２７０）。そして、貨幣管理装置２００は、ドロア２１１を再度解錠する（Ｓ２１０）。この場合、オペレータは、貨幣管理装置２００から束紙幣を出し直し、再度、ドロア２１１を閉じる（Ｓ２２０〜Ｓ２６０）。
【００８８】
エラーが解消すると（Ｓ２６０のＹＥＳ）、貨幣管理装置２００は、出金処理を終了する。尚、出金処理では、貨幣管理装置２００は、帯封整理機１０と連携する必要はない。
【００８９】
本実施形態による貨幣管理システムによれば、入金処理において、貨幣管理装置２００と帯封整理機１０との連携により、帯封整理機１０から投出された束紙幣に対応する貨幣管理装置２００のドロア２１１〜２１４が自動的に開く。従って、オペレータは、迷うことなく、束紙幣を適切なドロア２１１〜２１４に収納することができる。これにより、オペレータは束紙幣を効率良くかつ正確に処理することができる。さらに、貨幣管理システムは、オペレータの不正を防止することもできる。
【００９０】
その結果、本実施形態による貨幣管理システムは、オペレータが貨幣を誤りなく適切に貨幣管理装置の各収納庫に収納することを可能にし、束紙幣の厳正管理を可能にする。
【００９１】
また、出金処理においても、貨幣管理装置２００は、出金する束紙幣に対応するドロア（２１１〜２１４のいずれか）を自動的に開く。従って、オペレータは、迷うことなく、束紙幣を適切なドロア２１１〜２１４（２１１〜２１４のいずれか）から取り出すことができる。これにより、オペレータは束紙幣を効率良くかつ正確に処理することができる。さらに、貨幣管理システムは、オペレータの不正を防止することもできる。
【００９２】
（第１の実施形態の変形例）
上記第１の実施形態では、貨幣管理装置２００は、正券紙幣を全てドロア２１１に収納している。これに対し、本変形例では、貨幣管理装置２００は、紙幣を金種ごとに異なるドロアに収納する。例えば、貨幣管理装置２００は、１万円紙幣、５千円紙幣、千円紙幣をそれぞれドロア２１１〜２１３に収納する。
【００９３】
この場合、制御部２２４は、帯封整理機１０から得た貨幣の情報、あるいは、オペレータが入力した貨幣の情報に基づいて、入金または出金される貨幣の金種に対応するドロアを特定する。そして、貨幣管理装置２００は、その金種に対応するドロアへ貨幣を収納しあるいは取り出すことをオペレータへ許可する。
【００９４】
例えば、貨幣の入金処理において、貨幣管理システムは、図８に示すステップＳ１０〜Ｓ７０を実行後、貨幣管理装置２００がステップＳ８０を実行する。このとき、貨幣管理装置２００は、紙幣の情報に含まれる金種に応じて、ドロア２１１〜２１３のいずれかを解錠する。その後、ステップＳ９０以降の動作は、第１の実施形態の動作と同様である。
【００９５】
また、貨幣の出金処理において、貨幣管理装置２００は、図９に示すステップＳ２００の実行後、ステップＳ２１０を実行する。このとき、貨幣管理装置２００は、紙幣の情報に含まれる金種に応じて、ドロア２１１〜２１３のいずれかを解錠する。その後、ステップＳ２２０以降の動作は、第１の実施形態の動作と同様である。
【００９６】
本変形例による貨幣管理システムによれば、オペレータは、貨幣の金種について、迷うことなく、束紙幣を適切なドロアに収納することができる。あるいは、オペレータは、貨幣の金種について、迷うことなく、束紙幣を適切なドロアから取り出すことができる。
【００９７】
さらに、本変形例は、第１の実施形態と同様に、貨幣管理装置２００と帯封整理機１０との連携により、帯封整理機１０から投出された束紙幣に対応する貨幣管理装置２００のドロア２１１〜２１４を自動的に開く。従って、オペレータは束紙幣を効率良くかつ正確処理することができる。さらに、貨幣管理システムは、オペレータの不正を防止することもできる。
【００９８】
（第２の実施形態）
第１の実施形態では、入金処理において貨幣管理装置２００は、帯封整理機１０と連携している。第２の実施形態では、貨幣管理システムは、貨幣の情報を帯封整理機１０から貨幣管理装置２００へ送信する連携モードと、貨幣の情報を帯封整理機１０から貨幣管理装置２００へ送信しないローカルモードとを有する。
【００９９】
帯封整理機１０は、操作表示部１１において、連携モードとローカルモードとのいずれかを選択可能に表示する。オペレータが連携モードを選択した場合、貨幣管理システムは、第１の実施形態と同様に動作する。従って、ここでは、ローカルモードが選択された場合についてのみ説明する。
【０１００】
ローカルモードが選択されると、貨幣管理装置２００および帯封整理機１０は、連携せずに、それぞれ個別に動作する。この場合、帯封整理機１０は、紙幣を分類し、所定数ごとに結束して束紙幣を投出するが、束紙幣の情報は、貨幣管理装置２００へ送信しない。
【０１０１】
オペレータは、帯封整理機１０において投出された束紙幣の情報を貨幣管理装置２００に直接入力する。束紙幣の情報の入力後、貨幣管理装置２００の動作は、図８に示すステップＳ８０〜Ｓ１４０の動作と同様である。従って、束紙幣の情報に基づいて、帯封整理機１０から投出された束紙幣に対応する貨幣管理装置２００のドロア２１１〜２１４が自動的に特定され、解錠され得る。ただし、貨幣管理装置２００と帯封整理機１０とは連携していないので、貨幣管理装置２００は、処理完了通知やエラー通知を送信しない。
【０１０２】
第２の実施形態によれば、オペレータは、迷うことなく、束紙幣を適切なドロア２１１〜２１４に収納することができる。これにより、オペレータは束紙幣を効率良くかつ正確処理することができる。また、貨幣管理システムは、オペレータの不正を防止することもできる。
【０１０３】
上記第１および第２の実施形態において、貨幣管理装置２００の在高は、帯封整理機１０において管理されていてもよい。この場合、帯封整理機１０は、制御部４００内の記憶部に貨幣管理装置２００の在高を格納している。そして、束紙幣が貨幣管理装置２００に収納され、あるいは、貨幣管理装置２００から取り出された場合に、貨幣管理装置２００は、収納された紙幣あるいは取り出された紙幣の情報を処理完了通知（図８のＳ１３２）に含める。帯封整理機１０は、処理完了通知を受け取った後（図８のＳ１３５のＹＥＳ）、貨幣管理装置２００の在高を更新する。これにより、帯封整理機１０は、貨幣管理装置２００の在高を管理することができる。
【０１０４】
（第３の実施形態）
もし、貨幣管理装置２００のドロア２１１〜２１４のいずれかの貨幣量が上限を超え、あるいは、下限を下回ったときは、帯封整理機１０は、操作表示部１１にその旨をオペレータに通知する。貨幣管理装置２００の記憶部２２５が各ドロア２１１〜２１４の上限値および下限値を予め格納している。
【０１０５】
図１０は、第３の実施形態による貨幣管理システムの動作を示すフロー図である。図１０では、入金処理においてドロア２１１〜２１４のいずれかの貨幣量が上限値を超えた場合の貨幣管理システムの動作を示す。
【０１０６】
［貨幣管理システムの入金処理］
例えば、入金処理において図８のステップ１３０のＹＥＳの後、ドロア２１１の貨幣量が上限値を超えた場合（Ｓ３００のＹＥＳ）、貨幣管理装置２００は、ドロア２１１の貨幣量が上限値を超えたことを示す上限フラグを処理完了通知とともに帯封整理機１０へ送信する（Ｓ３１０）。それとともに、貨幣管理装置２００は、貨幣量が上限値を超えたドロア２１１を解錠し、貨幣の回収を可能にする（Ｓ３２０）。尚、上限フラグは、各ドロア２１１〜２１５に対して割り当てられた１ビットデータでよい。
【０１０７】
オペレータは、解錠されたドロア２１１から貨幣を金庫等へ回収する（Ｓ３３０）。その後、オペレータは、回収した貨幣の情報（金種、数量等）を操作部２２６に入力し、ドロア２１１を閉じる（Ｓ３４０）。
【０１０８】
開閉検知装置２１１ｎが、ドロア２１１が開状態から閉状態になったことを検知する（Ｓ３５０）。ドロア２１１が閉状態になったことを検知すると、ロードセル２６１がドロア２１１から回収された貨幣の数量（束数または枚数）を算出する（Ｓ３６０）。
【０１０９】
貨幣管理装置２００から実際に回収された貨幣の数量と操作部２２６で入力された紙幣の数量とを照合し、これらが一致している場合（Ｓ３７０のＹＥＳ）、貨幣管理装置２００は、処理完了通知を帯封整理機１０へ送信するとともに貨幣の出金処理を終了する。
【０１１０】
貨幣管理装置２００から実際に回収された貨幣の数量と操作部２２６で入力された紙幣の数量とが相違している場合（Ｓ３７０のＮＯ）、貨幣管理装置２００は、表示部２２７にエラーを表示する（Ｓ３８０）。そして、貨幣管理装置２００は、ドロア２１１を再度解錠する（Ｓ３２０）。この場合、オペレータは、貨幣管理装置２００から束紙幣を出し直し、再度、ドロア２１１を閉じる（Ｓ３３０〜Ｓ３８０）。
【０１１１】
エラーが解消すると（Ｓ３７０のＹＥＳ）、貨幣管理装置２００は、入金処理および回収処理を終了する。
【０１１２】
ステップＳ３００にて、ドロア２１１の貨幣量が上限値を超えていない場合（Ｓ３００のＮＯ）、貨幣管理装置２００は、図８を参照して説明したように、ステップＳ１３２において処理完了通知を帯封整理機１０へ送信し、貨幣管理装置２００は、入金処理および回収処理を終了する。このとき、処理完了通知において上限フラグは立っていない。
【０１１３】
一方、帯封整理機１０では、処理完了通知においてドロア２１１の上限フラグが立っている場合（Ｓ３９０のＹＥＳ）、操作表示部１１が、ドロア２１１の貨幣量が上限値を超えていることを表示する。それとともに、帯封整理機１０は、再度、処理完了通知を貨幣管理装置２００から受け取るまで待機する（Ｓ４００のＮＯ）。２回目の処理完了通知を受信する前に、エラー通知を受けた場合には（Ｓ４０５のＹＥＳ）、帯封整理機１０は、そのエラーを表示する（Ｓ４１０）。
【０１１４】
帯封整理機１０が、２回目の処理完了通知を貨幣管理装置２００から受け取ると（Ｓ４００のＹＥＳ）、帯封整理機１０は、入金処理を終了する。
【０１１５】
［貨幣管理システムの出金処理］
図１１は、第３の実施形態による貨幣管理システムの動作を示すフロー図である。図１１では、入金処理においてドロア２１１〜２１４のいずれかの貨幣量が下限値を下回った場合の貨幣管理システムの動作を示す。
【０１１６】
例えば、入金処理において図９のステップ２６０のＹＥＳの後、ドロア２１１の貨幣量が下限値を下回った場合（Ｓ５００のＹＥＳ）、貨幣管理装置２００は、貨幣量が下限値を下回ったドロア２１１を解錠し、貨幣の装填を可能にする（Ｓ５１０）。
【０１１７】
オペレータは、店舗内の金庫等から解錠されたドロア２１１へ貨幣を装填する（Ｓ５２０）。その後、オペレータは、装填した貨幣の情報（金種、数量等）を操作部２２６に入力し、ドロア２１１を閉じる（Ｓ５３０）。
【０１１８】
開閉検知装置２１１ｎが、ドロア２１１が開状態から閉状態になったことを検知する（Ｓ５４０）。ドロア２１１が閉状態になったことを検知すると、ロードセル２６１がドロア２１１に装填された貨幣の数量（束数または枚数）を算出する（Ｓ５５０）。
【０１１９】
貨幣管理装置２００から実際に装填された貨幣の数量と操作部２２６で入力された紙幣の数量とを照合し、これらが一致している場合（Ｓ５６０のＹＥＳ）、貨幣管理装置２００は、貨幣の装填処理を終了する。
【０１２０】
貨幣管理装置２００に実際に装填された貨幣の数量と操作部２２６で入力された紙幣の数量とが相違している場合（Ｓ５６０のＮＯ）、貨幣管理装置２００は、表示部２２７にエラーを表示する（Ｓ５７０）。そして、貨幣管理装置２００は、ドロア２１１を再度解錠する（Ｓ５１０）。この場合、オペレータは、貨幣管理装置２００から束紙幣を入れ直し、再度、ドロア２１１を閉じる（Ｓ５２０〜Ｓ５７０）。
【０１２１】
エラーが解消すると（Ｓ５６０のＹＥＳ）、貨幣管理装置２００は、入金処理および装填処理を終了する。
【０１２２】
ステップＳ５００にて、ドロア２１１の貨幣量が下限値を下回っていない場合（Ｓ５００のＮＯ）、貨幣管理装置２００は、出金処理および装填処理を終了する。
【０１２３】
尚、貨幣管理装置２００は、ドロア２１１の貨幣量が下限値を下回ったことを示す下限フラグを帯封整理機１０へ送信してもよい。この場合、帯封整理機１０は、ドロア２１１の貨幣量が下限値を下回っていることを操作表示部１１に表示する。帯封整理機１０は、図１０に示すステップＳ４００〜Ｓ４１０を実行すればよい。尚、下限フラグは、各ドロア２１１〜２１５に対して割り当てられた１ビットデータでよい。貨幣管理装置２００は、処理が完了すると（Ｓ５６０のＹＥＳ）、処理完了通知を帯封整理機１０へ送信する。帯封整理機１０は、処理完了通知を貨幣管理装置２００から受け取った場合に出金処理を終了する（Ｓ４００のＹＥＳ）。
【０１２４】
このように、第３の実施形態では、帯封整理機１０は、上限フラグまたは下限フラグを受け取って、操作表示部１１に貨幣管理装置２００のフル状態またはエンプティ状態を表示する。これにより、オペレータは、貨幣管理装置２００のドロアから貨幣を金庫等へ回収し、あるいは、貨幣管理装置２００のドロアへ貨幣を装填することができる。このとき、貨幣管理装置２００は、貨幣量が上限を超えたドロア、あるいは、下限を下回ったドロアを自動で解錠する。これにより、オペレータは、迷うことなく、束紙幣を適切なドロアから回収することができ、あるいは、束紙幣を適切なドロアへ装填することができる。つまり、オペレータは束紙幣を効率良くかつ正確に処理することができる。さらに、貨幣管理システムは、オペレータの不正を防止することもできる。
【０１２５】
以上の実施形態において、紙幣のみの処理について言及したが、勿論、硬貨についても上記実施形態と同様に処理することが可能である。この場合、分類機は、硬貨整理機（図示せず）であり、硬貨を分類し、かつ、分類された硬貨を包装するように構成される。そして、硬貨整理機は、分類した硬貨の情報（金種、数量、正損、新旧等の情報）を貨幣管理装置２００へ送信する。貨幣管理装置２００は、硬貨整理機からの硬貨の情報に基づいて該硬貨に対応するドロアを特定し、そのドロアへ硬貨を収納することを許可する。これにより、硬貨についても、上記第１から第３の実施形態を適用することができる。
【０１２６】
以下、分類機の他の実施形態を説明する。
【０１２７】
図１２は、紙幣分類機の実施形態の構成を示す図である。この紙幣分類機４０１は、国際公開第２０１０／０３２３３６号パンフレットに記載された紙幣管理システムである。紙幣分類機４０１は、紙幣を集積する複数のスタッカ４１１を備えている。紙幣分類機４０１は、スタッカ４１１毎に設定した分類条件に基づき、紙幣を分類し、この分類した紙幣を分類条件に対応したスタッカ４１１に集積する。紙幣分類機４０１は、パソコン４０３と通信接続されている。
【０１２８】
紙幣分類機４０１は、紙幣を投入する紙幣投入部４１２と、紙幣投入部４１２から投入した紙幣を一枚ずつ搬送する搬送部（図示せず）と、搬送部で搬送した紙幣を順次集積する複数のスタッカ４１１と、スタッカ４１１の分類条件に該当しない紙幣をリジェクトするリジェクト部４１４と、スタッカ４１１毎に状態を表示するスタッカ表示部４１５と、様々な情報を入力又は表示する操作表示部４１６とを備えている。スタッカ表示部４１５は、各スタッカに集積された紙幣の数やバッチ状態等を表示する。スタッカ４１１は、紙幣の分類条件毎に、第１スタッカ４１１Ａ、第２スタッカ４１１Ｂ、第３スタッカ４１１Ｃ及び第４スタッカ４１１Ｄを有している。尚、分類条件は、パソコン４０３において適宜変更可能である。
【０１２９】
紙幣分類機４０１は、紙幣の金種、正損、新旧等を識別し、紙幣の金種、正損、新旧等に応じて分類する。そして、紙幣分類機４０１は、分類された紙幣をスタッカ４１１Ａ〜４１１Ｄに集積する。
【０１３０】
紙幣分類機４０１は、紙幣を分類し集積するものの、その紙幣を結束しない。従って、分類後、オペレータは、所定枚数（例えば、１００枚）の紙幣をスタッカ４１１から取り出し、帯封機（図示せず）にて紙幣を結束する。その後、オペレータは、束紙幣を貨幣管理装置２００へ収納する。
【０１３１】
紙幣分類機４０１は、帯封整理機１０と同様に貨幣管理装置２００と通信接続されていてもよい。この場合、紙幣分類機４０１は、オペレータがスタッカ４１１から取り出した紙幣の金種、正損、新旧等の情報を貨幣管理装置２００へ送信することができる。また、貨幣管理装置２００からの処理完了通知やエラー通知を受信することができる。これにより、紙幣分類機４０１は、第１から第３の実施形態の帯封整理機１０に代替することができる。
【０１３２】
また、紙幣分類機４０１はログイン時に入力されたＩＤ情報を貨幣管理装置２００へ送信し、貨幣管理装置２００は、貨幣管理装置２００に入力されたＩＤ情報と比較してもよい。これにより、紙幣分類機４０１の操作者のみが貨幣管理装置２００へ束紙幣を収納または取出しできるようにしてもよい。
【０１３３】
図１３は、紙幣分類機の他の実施形態の構成を示す図である。この紙幣分類機５００は、国際公開第２００８／０９６４３０号パンフレットに記載された紙幣分類機である。紙幣分類機５００は、投入口５０１、上部スタッカ５０２、操作部５０３、表示部５０４、５０５、下部スタッカ５０６ａ〜５０６ｄ、及び第１〜第４表示部１０７ａ〜１０７ｄを備えている。
【０１３４】
紙幣分類機５００は、紙幣を集積する複数のスタッカ５０６ａ〜５０６ｄを備えている。紙幣分類機５００は、スタッカ５０６ａ〜５０６ｄを毎に設定した分類条件に基づき、紙幣を分類し、この分類した紙幣を分類条件に対応したスタッカ５０６ａ〜５０６ｄに集積する。
【０１３５】
紙幣分類機５００は、紙幣を投入する紙幣投入部５０１と、紙幣投入部５０１から投入した紙幣を一枚ずつ搬送する搬送部（図示せず）と、搬送部で搬送した紙幣を順次集積する複数のスタッカ５０６ａ〜５０６ｄと、スタッカ５０６ａ〜５０６ｄの分類条件に該当しない紙幣をリジェクトするリジェクト部５０２と、スタッカ５０６ａ〜５０６ｄ毎に状態を表示するスタッカ表示部５０７ａ〜５０７ｄと、様々な情報を入力又は表示する操作表示部５０３とを備えている。スタッカ表示部５０７ａ〜５０７ｄは、各スタッカに集積された紙幣の数やバッチ状態等を表示する。スタッカ５０６ａ〜５０６ｄの分類条件は、操作表示部５０３において適宜変更可能である。
【０１３６】
紙幣分類機５００は、紙幣の金種、正損、新旧等を識別し、紙幣の金種、正損、新旧等に応じて分類する。そして、紙幣分類機５００は、分類された紙幣をスタッカ５０６ａ〜５０６ｄに集積する。
【０１３７】
紙幣分類機５００は、紙幣を分類し集積するものの、その紙幣を結束しない。従って、分類後、オペレータは、所定枚数（例えば、１００枚）の紙幣をスタッカ５０６ａ〜５０６ｄから取り出し、帯封機（図示せず）にて紙幣を結束する。その後、オペレータは、束紙幣を貨幣管理装置２００へ収納する。
【０１３８】
紙幣分類機５００は、帯封整理機１０と同様に貨幣管理装置２００と通信接続されていてもよい。この場合、紙幣分類機５００は、オペレータがスタッカ５０６ａ〜５０６ｄから取り出した紙幣の金種、正損、新旧等の情報を貨幣管理装置２００へ送信することができる。また、貨幣管理装置２００からの処理完了通知やエラー通知を受信することができる。これにより、紙幣分類機５００は、第１から第３の実施形態の帯封整理機１０に代替することができる。
【０１３９】
また、紙幣分類機５００はログイン時に入力されたＩＤ情報を貨幣管理装置２００へ送信し、貨幣管理装置２００は、貨幣管理装置２００に入力されたＩＤ情報と比較してもよい。これにより、紙幣分類機５００の操作者のみが貨幣管理装置２００へ束紙幣を収納または取出しできるようにしてもよい。
【０１４０】
このように、図１２、図１３に示す紙幣分類機を用いても、第１から第３の実施形態を実施することができる。
【符号の説明】
【０１４１】
２００・・・貨幣管理装置
２１１〜２１５・・・ドロア
２２４・・・制御部
２２５・・・記憶部
２２６・・・操作部
２２７・・・表示部
２２８・・・ＩＤカードリーダ
２２９・・・インタフェース
２６１・・・ロードセル
２１１ｍ〜２１５ｍ・・・開閉電磁ロック
２１１ｎ〜２１５ｎ・・・開閉検知装置
２８０・・・報知部
１０・・・帯封整理機
１１・・・操作表示部
１００・・・分類集積部
２５０・・・紙幣結束部
３００・・・搬送部
【図１】
2012137981.tif 000003
【図２】
2012137981.tif 000004
【図３】
2012137981.tif 000005
【図４】
2012137981.tif 000006
【図５】
2012137981.tif 000007
【図６】
2012137981.tif 000008
【図７】
2012137981.tif 000009
【図８】
2012137981.tif 000010
【図９】
2012137981.tif 000011
【図１０】
2012137981.tif 000012
【図１１】
2012137981.tif 000013
【図１２】
2012137981.tif 000014
【図１３】
2012137981.tif 000015